(57)【特許請求の範囲】
【請求項１】
一端が外表面に開口する一方、他端が内部に形成された収納空間に連通する複数の吸着通路が前記収納空間の長手方向に離れて設けられた吸着保持部材と、前記収納空間に収納され、該収納空間を遊び領域と密閉された負圧領域とに区画する２個のピストンと、前記収納空間の負圧領域に接続され、該負圧領域内の空気を吸引することで、負圧領域に連通している吸着通路内を負圧化し、該負圧化した吸着通路により帯状部材を吸着保持する吸引手段と、前記ピストンを収納空間の長手方向に移動させることで、収納空間における負圧領域の位置または長さの少なくともいずれか一方を変化させる移動手段とを備え、前記２個のピストン間に前記負圧領域を形成するとともに、これら２個のピストンを移動手段により個別に移動させる一方、前記吸着通路の一端開口にカップ状のゴム製吸着パッドを取付け、該吸着パッドを介して帯状部材を吸着保持するようにした帯状部材の吸着保持装置において、前記吸引手段を、吸着保持部材の中央部に一端が連結されることで、２個のピストン間に形成された負圧領域に接続されている吸引ホースと、該吸引ホースの途中に介装された切換弁と、前記吸引ホースの他端に接続された吸引源とから構成したことを特徴とする帯状部材の吸着保持装置。
【発明の詳細な説明】
【技術分野】
【０００１】
この発明は、帯状部材の位置、幅が変化したとき、この変化に容易に対処することができる帯状部材の吸着保持装置に関する。
【背景技術】
【０００２】
従来の帯状部材の吸着保持装置としては、例えば以下の特許文献１、２に記載されているようなものが知られている。
【先行技術文献】
【特許文献】
【０００３】
【特許文献１】特開昭６３−３０６１５１号公報
【特許文献２】実開平６−７４２４４号公報
【０００４】
まず、前記特許文献１には、内部に軸方向に延びるバキューム通路、および、該バキューム通路から半径方向外側に延び半径方向外端が外表面に開口するとともに、軸方向に離れて配置された複数の吸引口が形成されている回転可能な吸着ロールと、前記バキューム通路に接続され、該バキューム通路内の空気を吸引することで、該バキューム通路に連通している吸引口内を負圧化し、該負圧化した吸引口により帯状部材を吸着保持する吸引手段と、吸着ロールの外周に対して接近離隔することができる把持体とを備えたものが開示されている。
【０００５】
そして、このものは、帯状部材の端部を吸着ロール（吸引口）の外端開口によって吸着した後、吸着ロールを回動して帯状部材の端部を 1/4周程度巻き上げ、次に、把持体を吸着ロールに接近させて該把持体および吸着ロールにより帯状部材の端部を把持するようにしている。この結果、帯状部材の幅が変化して（例えば狭くなって）空気を吸引するだけの吸引口が発生しても、帯状部材の端部を吸着しながら巻き上げることができれば、把持体を用いて帯状部材を保持することが可能である。
【０００６】
しかしながら、このものにあっては、前述のように帯状部材の幅が狭くなって空気のみを吸引し吸着保持の機能を果たしていない吸引口が生じると、帯状部材の内部にスチールコード等が埋設されその曲げ剛性が高い場合、帯状部材の端部を吸着しながら巻き上げることができず、保持に失敗することがある。また、把持体と吸着ロールとにより帯状部材の端部を所定圧で挟持するため、挟持されている部位の帯状部材がゴム流動により肉厚が薄くなり、この結果、製品（例えば空気入りタイヤ）の品質に悪影響を及ぼすことがあるという課題もある。
【０００７】
このような課題を解決するため、前記特許文献２に記載の吸引保持装置を前記特許文献１に記載の端部把持装置に適用して、各吸引口の途中に、シリンダチャンバと、該シリンダチャンバに昇降可能に遊嵌されたピストン部材と、該ピストン部材をチャック面側に付勢するコイルばねとからなるチャックを設け、チャック面が帯状部材から離隔しているときには、ピストン部材の上下面に作用する圧力差によりピストン部材をチャック面から離隔する方向に移動させて吸引口を遮断する一方、チャック面に帯状部材が密着してピストン部材の上下面に作用する圧力が同一となると、該ピストン部材がコイルばねの付勢力により吸引口を開放して帯状部材を自動吸着するようにしたものに想到することができる。そして、このものにおいては、特別な作業を行うことなく帯状部材の幅の変化に対応することができ、また、帯状部材を挟持する必要がないので、該帯状部材を構成するゴムに流動が生じることはなく、あるいは、高い曲げ剛性の帯状部材でも、屈曲させる必要がないので、該帯状部材の保持に失敗することもない。
【発明の概要】
【発明が解決しようとする課題】
【０００８】
しかしながら、このものは各吸引口にシリンダチャンバ、ピストン部材、コイルバネからなるチャックを設置する必要がある、即ち、吸引口と同数のチャックを吸着ロールに設置する必要があるため、構造が複雑で大型化するとともに、製作費が高価となってしまうという課題がある。
【０００９】
この発明は、構造が簡単で小型、安価でありながら、帯状部材の位置、幅に変化があっても、これに容易に対処することができる帯状部材の吸着保持装置を提供することを目的とする。
【課題を解決するための手段】
【００１０】
このような目的は、一端が外表面に開口する一方、他端が内部に形成された収納空間に連通する複数の吸着通路が前記収納空間の長手方向に離れて設けられた吸着保持部材と、前記収納空間に収納され、該収納空間を遊び領域と密閉された負圧領域とに区画する２個のピストンと、前記収納空間の負圧領域に接続され、該負圧領域内の空気を吸引することで、負圧領域に連通している吸着通路内を負圧化し、該負圧化した吸着通路により帯状部材を吸着保持する吸引手段と、前記ピストンを収納空間の長手方向に移動させることで、収納空間における負圧領域の位置または長さの少なくともいずれか一方を変化させる移動手段とを備え、前記２個のピストン間に前記負圧領域を形成するとともに、これら２個のピストンを移動手段により個別に移動させる一方、前記吸着通路の一端開口にカップ状のゴム製吸着パッドを取付け、該吸着パッドを介して帯状部材を吸着保持するようにした帯状部材の吸着保持装置において、前記吸引手段を、吸着保持部材の中央部に一端が連結されることで、２個のピストン間に形成された負圧領域に接続されている吸引ホースと、該吸引ホースの途中に介装された切換弁と、前記吸引ホースの他端に接続された吸引源とから構成した帯状部材の吸着保持装置により、達成することができる。
【発明の効果】
【００１１】
この発明においては、吸着保持部材の収納空間に収納された２個のピストンにより該収納空間を密閉された負圧領域と遊び領域とに区画するとともに、該負圧領域に吸引手段を接続し、帯状部材の位置、幅が変化したとき、これに対応して前記ピストンを移動手段により移動させることで負圧領域の位置、長さ、即ち、該負圧領域に接続されている吸着通路の位置、数を変化させるようにしたので、帯状部材の位置、幅に変化があっても、空気のみを吸引し吸着保持の機能を果たしていない吸着通路の発生を阻止することができる。また、１個の吸着保持部材に対し２個のピストン、移動手段を設けるだけでよいので、構造が簡単で小型、安価となり、さらに、帯状部材を挟持する必要がないので、該帯状部材を構成するゴムに流動が生じる事態を防止することができるとともに、高い曲げ剛性の帯状部材でも、帯状部材を屈曲させる必要がないので、確実に吸着保持することができる。
【００１２】
また、収納空間の範囲内で負圧領域の位置、幅を簡単かつ自由に変化させることができ、さらに、帯状部材を構成するゴムを傷付けたり変形させることなく確実に帯状部材を吸着保持することができる。
【図面の簡単な説明】
【００１３】
【図１】この発明の実施形態１を示す概略側面図である。
【図２】吸着保持装置の一部破断正面図である。
【図３】その一部破断平面図である。
【発明を実施するための形態】
【００１４】
以下、この発明の実施形態１を図面に基づいて説明する。
図１において、11は回転体としての円筒状をした拡縮可能な成形ドラムであり、この成形ドラム11は図示していない駆動部から回転駆動力を受けて水平な軸線回りに回転することができる。なお、この実施形態では、前記回転体を成形ドラム11単体から構成したが、この発明においては、回転体を成形ドラムと該成形ドラムに貼付けられたタイヤ構成部材から構成してもよく、あるいは、外表面が加硫済み空気入りタイヤ（製品タイヤ）の内表面と同一形状である剛体コア単体、あるいは、該剛体コアと剛体コアの周囲に貼付けられたタイヤ構成部材とから構成してもよい。
【００１５】
14は前記成形ドラム11の後方に設置された水平な搬送コンベアであり、この搬送コンベア14は前後方向に延びている。そして、この搬送コンベア14の上側に位置する搬送部14ａが図示していない駆動モータから駆動力を受けて前方に走行すると、該搬送部14ａ上に載置された前後方向に延びる帯状部材15は前記成形ドラム11に向かって搬送される。ここで、前記帯状部材15としては、例えば、空気入りタイヤ用のインナーライナー、カーカスプライ、ゴムチェーファー、ワイヤーチェーファー、サイドトレッド、ベルトプライ、トップトレッド等を挙げることができる。
【００１６】
18は前端部が成形ドラム11の直上に位置し、後端部が搬送コンベア14の前端部直上に位置する水平な前後方向に延びる支持ビームであり、この支持ビーム18の下面には該支持ビーム18の長手方向に延びるガイドレール19が敷設されている。20は前記ガイドレール19に摺動可能に係合する複数のスライドベアリング21が固定された上下方向に延びる移動台であり、この移動台20は図示していない駆動機構から駆動力を受けることでガイドレール19にガイドされながら前後方向に移動することができる。そして、この移動台20の前面には上下方向に延びるガイドレール22が敷設されている。
【００１７】
24は前記ガイドレール22に摺動可能に係合する複数のスライドベアリング25が固定された上下方向に延びる昇降台であり、この昇降台24は図示していない駆動機構から駆動力を受けることでガイドレール22にガイドされながら上下方向に移動、即ち昇降することができる。ここで、前述の移動台20、昇降台24に駆動力を付与する駆動機構としては、例えばねじ機構、ラック・ピニオン機構、流体シリンダ、リンク機構等を用いることができる。
【００１８】
26は前記昇降台24に取り付けられ、帯状部材15、例えばその前端部または後端部を上側から吸着保持することができる吸着保持装置であり、この吸着保持装置26が搬送コンベア14上で待機している帯状部材15（前端部または後端部）を吸着保持した後、昇降台24が若干上昇し、次に、移動台20が成形ドラム11の直上まで前方に移動し、その後、昇降台24が下降して帯状部材15が成形ドラム11に押し付けられると、吸着保持装置26に吸着保持された帯状部材15（前端部または後端部）は搬送コンベア14から成形ドラム11まで搬送され、該成形ドラム11に受け渡される。なお、この発明においては、吸着保持装置により帯状部材を吸着保持しながら、ある搬送コンベアから別の搬送コンベアに搬送して受け渡すようにしてもよく、帯状部材の搬送元および搬送先に関して特に制限はない。なお、この発明においては、前述した移動台20、昇降台24、吸着保持装置26を帯状部材15の長手方向長とほぼ同一距離だけ離して一対設置し、これら一対の吸着保持装置26により帯状部材15の前、後端部を共に吸着保持して該帯状部材15全体を持ち上げた後、該帯状部材15を成形ドラム11に向かって搬送し受け渡すようにしてもよい。
【００１９】
図２、３において、前記吸着保持装置26は昇降台24の下端に固定され帯状部材15の幅方向に延びる水平な吸着保持部材30を有し、この吸着保持部材30は該吸着保持部材30の長手方向に延びる四角柱状のシリンダ体31を備えている。前記シリンダ体31の内部には断面円形で該シリンダ体31の長手方向に延びる収納空間32が形成され、この収納空間32はその両端において開口している。33、34は前記シリンダ体31の長手方向両端に固定されたエンド体であり、これらエンド体33、34により前記収納空間32は閉止されている。前述したシリンダ体31、エンド体33、34は全体として、内部に収納空間32が形成された前記吸着保持部材30を構成する。なお、この発明においては、前記吸着保持部材30（シリンダ体31）は円柱状、六角柱状等であってもよく、また、吸着保持部材30の内部に形成されている収納空間は断面が楕円、長円、多角形であってもよい。
【００２０】
38は前記シリンダ体31の下側壁31ａに形成された複数の吸着通路であり、これら吸着通路38の一端は吸着保持部材30（下側壁31ａ）の外表面、ここでは下面に開口し、一方、その他端は前記収納空間32に連通している。そして、これら吸着通路38は収納空間32の長手方向に平行な直線に沿って設置されるとともに、互いに等距離離れて配置されている。各吸着通路38にはカップ状のゴム製吸着パッド39が取り付けられており、この結果、前記帯状部材15は吸着パッド39を介して吸着通路38の一端開口により吸着保持される。このように各吸着通路38に吸着パッド39を取り付けるようにすれば、帯状部材15を構成するゴムを傷付けたり変形させることなく確実に該帯状部材15を吸着保持することができる。
【００２１】
41、42は前記吸着保持部材30の収納空間32にその長手方向（軸方向）に移動可能に収納された２個のピストンであり、これら２個のピストン41、42により前記収納空間32は、ピストン41、42間に形成された密閉状態の負圧領域43と、ピストン41とエンド体33との間およびピストン42とエンド体34との間にそれぞれ形成され、帯状部材15の吸着保持に貢献しない遊び領域44、45とに区画される。また、前記ピストン41、42の外周にはＯリング46、47がそれぞれ嵌合されており、この結果、ピストン41、42と吸着保持部材30（シリンダ体31）との間が前記Ｏリング46、47によりシールされて前記負圧領域43が確実に密閉される。
【００２２】
50は前記シリンダ体31の中央部に一端が連結されることで収納空間32の負圧領域43に接続された吸引ホースであり、この吸引ホース50の他端は吸引源としてのブロワ51に接続されている。このように吸引源として10ｋPa以上の負圧を発生することができるブロワ51を用いれば、吸着通路38の一端開口（吸着パッド39）が帯状部材15の幅方向端部により半分程度覆われたような場合にも、吸着通路38の真空度が高いため、帯状部材15の幅方向端部を確実に吸着保持することができ、これにより、帯状部材15の幅方向端部が吸着保持から外れて垂れ下がるような事態を防止することができる。なお、この発明においては、吸引源として真空ポンプを用いたり、あるいは、吸引用ファンを用いるようにしてもよい。
【００２３】
55は前記吸引ホース50の途中に介装された切換弁であり、この切換弁55を切換えてブロワ51により負圧領域43内の空気を吸引すると、全ての吸着通路38のうち、負圧領域43に連通している吸着通路38内のみが負圧化するが、このとき、吸着保持部材30の直下に負圧領域43の長さと同一幅の帯状部材15が位置していると、該帯状部材15は負圧化した吸着通路38の一端開口（吸着パッド39）により全幅に亘って上側から吸着保持される。
【００２４】
なお、このとき、遊び領域44、45に連通している吸着通路38は内部が負圧化しないので、帯状部材15を吸着保持する機能を果たすことはない。一方、帯状部材15の吸着保持を休止する場合には、前記切換弁55を切換えてブロワ51による負圧領域43内の空気吸引を停止する。前述した吸引ホース50、ブロワ51、切換弁55は全体として、収納空間32の負圧領域43に接続され、該負圧領域43内の空気を吸引することで、負圧領域43に連通している吸着通路38内を負圧化し、該負圧化した吸着通路38により帯状部材15を吸着保持する吸引手段56を構成する。
【００２５】
60、61は前記ピストン41、42と同軸で該ピストン41、42から軸方向外側に向かってそれぞれ突出するロッドであり、これらのロッド60、61は前記エンド体33、34および該エンド体33、34にそれぞれ固定されたガイドブロック62、63を貫通している。64、65は上端が昇降台24に、内端がエンド体33、34にそれぞれ固定され、シリンダ体31に平行に延びる支持プレートであり、これらの支持プレート64、65と前記エンド体33、34とは補強プレート66、67により互いに連結されている。
【００２６】
70は軸方向両端部が支持プレート64、65の外端にそれぞれ固定された軸受71、軸受72に回転可能に支持されたボールねじであり、このボールねじ70の軸方向両端部にはリード角が逆方向に傾斜したおねじ部70ａ、70ｂがそれぞれ形成されている。73、74は前記ボールねじ70のおねじ部70ａ、70ｂにそれぞれ螺合しているねじブロックであり、これらのねじブロック73、74と前記ロッド60、61の外端とには支持プレート64、65を貫通する連結プレート75、76の両端部が連結されている。
【００２７】
この結果、前記ボールねじ70が回転すると、ロッド60、ねじブロック73、連結プレート75およびロッド61、ねじブロック74、連結プレート76はシリンダ体31の長手方向に等距離だけ逆方向に移動するが、このとき、前記ピストン41、42は収納空間32内を軸方向に等距離だけ逆方向に移動し、これにより、ピストン41、42間に位置する負圧領域43の長さ、即ち、内部が負圧となり得る吸着通路38の数が変化する。なお、このとき、シリンダ体31の長手方向中央を中心として負圧となり得る吸着通路38が増減する。
【００２８】
80は前記昇降台24に取り付けられた駆動源としての１台の共用駆動モータであり、この駆動モータ80の出力軸に固定された外歯車81と前記ボールねじ70の中央部に固定された外歯車82とは互いに噛み合っており、この結果、前記駆動モータ80が作動すると、ボールねじ70は軸受71、軸受72に支持されながら自身の軸線回りに回転する。前述したロッド60、61、ボールねじ70、ねじブロック73、74、連結プレート75、76、駆動モータ80、外歯車81、82は全体として、移動手段83を構成する。なお、前記移動手段を流体シリンダ、リンク機構、ラック・ピニオン機構等から構成するようにしてもよい。
【００２９】
ここで、前述のように収納空間32にピストン41、42を２個収納することで、これら２個のピストン41、42間に負圧領域43を形成するとともに、これら２個のピストン41、42を、移動手段83の一部を構成する１台の共用駆動モータ80により逆方向に等距離だけ移動させることも可能であるが、ここでは、２個のピストンに対応して、各ピストンを個別に移動させる２台の移動手段83を設け、これら移動手段により各ピストンを収納空間内において個別に移動させるようにしている。
【００３０】
このようにすれば、収納空間の範囲内での前述のような負圧領域の長さ（負圧化する吸着通路の数）に加え、収納空間の範囲内での負圧領域の長手方向における位置（負圧化する吸着通路の位置）を簡単かつ自由に変化させることができ、これにより、帯状部材の幅方向における位置または帯状部材の幅の少なくともいずれか一方に変化があっても、これに容易かつ迅速に対処することができる。このとき、前記吸引ホース50の一端側を複数に分岐するとともに、これら分岐部の一端をシリンダ体31の長手方向に離してそれぞれ連結するようにすれば、収納空間32の端部のみに重なり合う帯状部材15であっても、これを容易に吸着保持することができる
【００３１】
なお、前記実施形態のように収納空間32に２個のピストン41、42が収納されている場合には、閉止部材としてのエンド体33、34を省略してもよく、この場合には、遊び領域は外部に開放していることになる。このように、この発明では収納空間に２個のピストンを収納するとともに、該ピストンを移動手段により収納空間の長手方向に移動させるだけで、収納空間における負圧領域の位置または長さの少なくともいずれか一方を容易かつ確実に変化させることができる。
【００３２】
そして、前述のように吸着保持部材30の収納空間32に収納された２個のピストンにより該収納空間32を密閉された負圧領域43と遊び領域44、45とに区画するとともに、該負圧領域43に吸引手段56を接続し、帯状部材15の位置、幅が変化したとき、これに対応して前記ピストンを移動させることで負圧領域43の位置、長さ、即ち、該負圧領域43に接続されている吸着通路38の位置、数を変化させるようにしたので、帯状部材15の位置、幅に変化があっても、空気のみを吸引し吸着保持の機能を果たしていない吸着通路38の発生を阻止することができる。また、１個の吸着保持部材30に対し２個のピストン、移動手段83を設けるだけでよいので、構造が簡単で小型、安価とすることができる。さらに、帯状部材15を挟持する必要がないので、該帯状部材15を構成するゴムに流動が生じる事態を防止することができるとともに、高い曲げ剛性の帯状部材15でも、これを屈曲させる必要がないので、確実に吸着保持することができる。
【００３３】
次に、前記実施形態１の作用について説明する。
今、長手方向両最外側に位置する吸着通路38間の距離とほぼ同一幅の、図２、３に実線で示すような帯状部材15が搬送コンベア14により該搬送コンベア14の前端まで搬送されてきたとする。このような幅の帯状部材15を搬送コンベア14から成形ドラム11まで搬送する場合には、まず、移動手段83を作動して２個のピストン41、42を逆方向に、ここでは共に軸方向外側に向かって、前記ピストン41、42間の距離が前記帯状部材15の幅とほぼ同一となるまで移動させる。
【００３４】
これにより、２つのピストン41、42間には帯状部材15の幅とほぼ同一長さの負圧領域43が形成される。このとき、エンド体33とピストン41との間およびエンド体34とピストン42との間に形成された遊び領域44、45は、帯状部材15の吸着保持に貢献しない領域である。次に、駆動機構を作動して移動台20を前後方向に移動させるとともに、昇降台24を下降させて吸着保持部材30を帯状部材15の前端部に接近させ、該吸着保持部材30の吸着通路38を帯状部材15の前端部に吸着パッド39を介して密着させる。その後、切換弁55を切換えてブロワ51により負圧領域43内の空気を吸引すると、全ての吸着通路38のうち、負圧領域43に連通している吸着通路38、ここでは帯状部材15に重なり合う位置の吸着通路38全てが負圧化するため、該負圧化した吸着通路38の一端開口により（ここでは吸着パッド39を介して）前記帯状部材15の前端部は上側から全幅に亘って吸着保持される。
【００３５】
この状態で駆動機構を作動し、帯状部材15の前端部を吸着保持している吸着保持装置26を若干上昇させる。その後、駆動機構により移動台20、昇降台24、吸着保持装置26および帯状部材15を成形ドラム11に向かって前方に移動させる。このとき、前記吸着保持装置26の前方への移動速度と同一速度で搬送コンベア14の搬送部14ａを前方に走行させ、帯状部材15が弛んだり長手方向に引張されるのを防止する。そして、前記吸着保持装置26が成形ドラム11の頂上部直上まで移動すると、吸着保持装置26の前方への移動を停止する。
【００３６】
その後、駆動機構により昇降台24、吸着保持装置26を一体的に下降させ、吸着保持装置26、詳しくは吸着通路38、吸着パッド39に吸着保持された帯状部材15の前端部を成形ドラム11の頂上部外表面に押付けるとともに、切換弁55を切換えてブロワ51による負圧領域43内の空気の吸引を停止する。この結果、帯状部材15の前端部は吸着保持装置26により搬送コンベア14から成形ドラム11まで搬送され、該成形ドラム11に受け渡される。その後、帯状部材15の後端部に対しても吸着保持装置26を用いて成形ドラム11まで搬送し、該成形ドラム11に受け渡す。
【００３７】
次に、搬送すべき帯状部材15の幅が変化する、例えば図３に仮想線で示すような狭幅となると、これに対応して移動手段83により２個のピストン41、42を、これらピストン41、42間の距離が前記帯状部材15の幅とほぼ同一となるまで内側に移動させる。この結果、２つのピストン41、42間には帯状部材15の幅とほぼ同一長さの負圧領域43が形成され、該負圧領域43に連通する吸着通路38の数が減少する。その後、前述と同様に吸着保持装置26を帯状部材15の前端部直上まで移動させ、該帯状部材15の前端部に吸着パッド39を介して吸着通路38を密着させる。
【００３８】
次に、切換弁55を切換えてブロワ51により負圧領域43内の空気を吸引するが、このとき、負圧領域43の長さは帯状部材15の幅とほぼ同一であるので、該帯状部材15と重なり合う位置の吸着通路38（吸着パッド39）内のみが負圧化し、該帯状部材15の前端部が吸着保持装置26により上側から全幅に亘って吸着保持される。その後、前述と同様に帯状部材15を吸着保持している吸着保持装置26を成形ドラム11まで移動させ、帯状部材15の前端部を成形ドラム11まで搬送して受け渡す。なお、帯状部材15の後端部についても同様にして成形ドラム11まで搬送して受け渡す。
【産業上の利用可能性】
【００３９】
この発明は、帯状部材を吸着保持する産業分野に適用できる。
【符号の説明】
【００４０】
15…帯状部材               26…吸着保持装置
30…吸着保持部材           32…収納空間
38…吸着通路               39…吸着パッド
41、42…ピストン           43…負圧領域
44…遊び領域               51…ブロワ
56…吸引手段               80…駆動源
83…移動手段
【図１】
0005670116.tif 000002
【図２】
0005670116.tif 000003
【図３】
0005670116.tif 000004